(57)【要約】【課題】全てのシャッタ素子の透過光量を同じにする。【解決手段】露光ヘッドの液晶シャッタアレイの液晶パネル７３に、４８０個のシャッタ素子７５（１〜４８０）をライン状に配列させたシャッタ素子列７６を設ける。液晶パネル７３内に、各シャッタ素子７５（１〜４８０）の開口領域を決定する開口窓１０３（１〜４８０）を有するマスクを設ける。シャッタ素子列７６の両端部７６ａ，７６ｂにあるシャッタ素子７５（１〜６，４７５〜４８０）に向けて出射される記録光の光量の過不足に応じて、開口窓１０３（１〜６，４７５〜４８０）の面積を変える。全てのシャッタ素子７５（１〜６，４７５〜４８０）の透過光量を同じにすることができる。【選択図】図９
2007248774.tif 000002
【特許請求の範囲】
【請求項１】
記録光の光源と、
前記光源の前記記録光を画像データに基づき変調する光変調素子が複数配列されている光変調素子アレイと、
前記光変調素子で変調された前記記録光を露光対象物に結像する結像光学系と、
複数の前記光変調素子に対応して設けられ、前記光変調素子で変調された前記記録光の光量の過不足に応じて開口面積が変えられており、各光変調素子の透過光量を同じにする開口窓とを備えることを特徴とする露光装置。
【請求項２】
前記光変調素子の配列方向に直交する副走査方向にのみ前記開口窓の長さを変更して、前記開口面積を変えることを特徴とする請求項１記載の露光装置。
【請求項３】
前記開口窓の長さを短くして前記記録光の光量過剰を補正することを特徴とする請求項２記載の露光装置。
【請求項４】
前記開口窓の長さを長くして前記記録光の光量不足を補正することを特徴とする請求項２または３記載の露光装置。
【請求項５】
前記開口窓は、前記光変調素子以外の領域からの光漏れを防ぐための遮光部材に形成されていることを特徴とする請求項１ないし４いずれか１項記載の露光装置。
【請求項６】
前記光変調素子及び前記開口窓を通過した前記記録光の光量を予め測定した測定結果に基づき、前記記録光の光量を均一化するように前記画像データを補正するシェーディング補正手段を備えることを特徴とする請求項１ないし５いずれか１項記載の露光装置。
【請求項７】
前記光源は、２色以上の記録光を照射することを特徴とする請求項１ないし６いずれか１項記載の露光装置。
【請求項８】
前記シェーディング補正手段は、前記光変調素子及び前記開口窓を通過した前記記録光の光量を色別に予め測定した色別の測定結果に基づき、各色の前記記録光の光量を均一化するように前記画像データの各色データを補正することを特徴とする請求項７記載の露光装置。
【請求項９】
前記光源は、前記光変調素子アレイの各光変調素子アレイに対応して設けられる直方体状の導光体と、前記光変調素子の配列方向の一端部に配置され、前記導光体の一端面から前記記録光を入射させる光源本体とを有することを特徴とする請求項１ないし８記載の露光装置。
【請求項１０】
前記光変調素子は、前記画像データに基づき、光を遮光する遮光状態、及び光を透過する透過状態に切替可能な液晶シャッタ素子であり、
前記光変調素子アレイは、前記液晶シャッタ素子を複数配列した液晶シャッタアレイであることを特徴とする請求項１ないし９いずれか１項記載の露光装置。
【請求項１１】
請求項１ないし１０いずれか１項記載の露光装置と、
前記露光装置または前記露光対象物を前記光変調素子の配列方向に対して直交する方向に相対移動させる移動手段とを備え、
前記画像データに基づき、前記露光装置または前記露光対象物の相対移動に同期させて、前記露光装置により前記露光対象物を露光して画像を記録することを特徴とするプリンタ。
【発明の詳細な説明】
【技術分野】
【０００１】
本発明は、光源から出射される記録光を画像データに基づき変調する光変調素子が複数配列された光変調素子アレイを有する露光装置、及びこの装置を備えるプリンタに関するものである。
【背景技術】
【０００２】
露光ヘッドを用いて感光材料上に画像を露光するプリンタが知られている。この露光ヘッドは、Ｒ（赤）、Ｇ（緑）、Ｂ（青）の３色の記録光（照明光）を照射する光源と、液晶シャッタアレイと、セルフォックレンズ（登録商標）［以下、単にレンズという］とから構成される。液晶シャッタアレイとしては、一対の透明基板間にネマティック液晶等が封入された液晶パネルが用いられる。液晶パネルは、両透明基板の互いに対向する面の一方にライン状に形成された複数のシャッタ素子電極（個別電極）と、他方に形成された共通電極（コモン電極）とを備えている。これにより、液晶パネルには、両電極間に形成される液晶シャッタ素子がライン状に配列されたシャッタ素子列が形成される。
【０００３】
液晶シャッタ素子は、両電極間に印加される駆動電圧のオン・オフで遮光状態及び光透過状態に個々に切り替えられる。このため、各シャッタ素子を１ライン分の画像データに基づいて個々に切替制御して、各シャッタ素子の開口時間（シャッタ速度）を調整することで、各シャッタ素子を透過する光の光量を調整することができる。これにより、レンズを介して画像データに応じた階調を有するライン画像が感光材料に露光される。そして、露光ヘッドまたは感光材料をシャッタ素子の配列方向（主走査方向）に対して直交する方向（副走査方向）に１ラインずつ相対移動させつつ、露光ヘッドによりライン画像を感光材料に順次露光させることで、感光材料に１画面分の画像（潜像）が露光される。
【０００４】
このような露光ヘッドを用いて露光を行う際に、光源から照射される記録光の光量の分布の偏りや、各液晶シャッタ素子の透過率及び応答速度の違い等の原因で、液晶シャッタ素子毎に透過する光の透過光量、つまり、露光量が異なっている。その結果、プリント画像に濃度ムラが発生してしまうおそれがある。これを防止するため、個々の液晶シャッタ素子の透過光量を予め測定して、この測定結果に基づきシャッタ素子毎の光量補正用ＬＵＴ（ルックアップテーブル）を作成する。そして、露光時には光量補正用ＬＵＴに基づいて画像データを補正することにより、濃度ムラの無いプリント画像が得られる（特許文献１参照）。
【０００５】
しかしながら、光源として蛍光発光管を使用している場合には、シャッタ素子列の両端部の液晶シャッタ素子の透過光量が中央部のシャッタ素子の透過光量と比較して著しく低下してしまう。具体的に説明すると、蛍光発光管は、陽極基板上にライン状に配列された蛍光体層からなる発光ドット列と、このドット列の上方に沿うフィラメント状の陰極とから構成されている。この際に、陰極の両端部が金具に溶接されて固定されているため、陰極の熱が金具により奪われて陰極両端部の温度が低下してしまう。その結果、陰極両端部は電子放出に十分な温度にならないため、シャッタ素子列の両端部の透過光量が中央部よりも低下してしまう（特許文献２参照）。
【０００６】
この場合には、全液晶シャッタ素子の透過光量が、両端部のシャッタ素子の低い透過光量になるようにシェーディング補正されてしまう。その結果、露光エネルギーのロスが増えてしまう。また、シャッタ素子列の両端部と中央部とで透過光量の差が大きいと、シェーディング補正量も大きくなるため、プリント画像の画質が低下するおそれがある。
【０００７】
また、上述の問題は蛍光発光管を使用している場合に限定されるものではなく、光源が、３色のＬＥＤからなる光源本体と、主走査方向に延びた直方体状の導光板とから構成されている場合でもほぼ同様の問題が発生する。光源本体は、導光板の一端部、より具体的には、液晶シャッタ素子の配列方向の一端部に配置されている。そして、導光板は、光入射面より入射した記録光を主走査方向に平行な線状光線に変換して液晶シャッタアレイに向けて出射する。この際に、導光板より出射される線状光線の光量は、光入射面から遠ざかるのに従い次第に小さくなる。このため、各液晶シャッタ素子を透過する記録光（線状光線）の透過光量は、光源本体から遠ざかるに従い次第に小さくなる。その結果、全液晶シャッタ素子の透過光量が、光源本体とは反対側の端部にあるシャッタ素子の低い透過光量になるように補正されてしまう。従って、同様に露光エネルギーのロスが増えてしまう。
【０００８】
このような問題を解決するために、透過光量の過不足が生じるシャッタ素子列両端部の液晶シャッタ素子をシェーディング補正の対象から除外して、残りの液晶シャッタ素子のみでシェーディング補正を行う方法が知られている（特許文献２参照）。これにより、補正を行う際の基準光量レベルが上がるので、露光エネルギーのロスを減らすことができる。
【特許文献１】特開平１０−４８７５５号公報（第５頁参照）
【特許文献２】特許第３４４４２２９号公報（第２〜第３頁、第１図参照）
【発明の開示】
【発明が解決しようとする課題】
【０００９】
しかしながら、上記特許文献２に記載の方法のように、シャッタ素子列（液晶シャッタアレイ）の両側端部の液晶シャッタ素子をシェーディング補正の対象から除外すると、プリント画像両端に濃度ムラが発生してしまう。その結果、プリント画像の品質が低下してしまう。
【００１０】
本発明は上記問題を解決するためのものであり、露光エネルギーのロスを増やすことなく全液晶シャッタ素子の透過光量を同じにすることができる露光装置、及びこの装置を備えるプリンタを提供することを目的とする。
【課題を解決するための手段】
【００１１】
本発明は、記録光の光源と、前記光源の前記記録光を画像データに基づき変調する光変調素子が複数配列されている光変調素子アレイと、前記光変調素子で変調された前記記録光を露光対象物に結像する結像光学系と、複数の前記光変調素子に対応して設けられ、前記光変調素子で変調された前記記録光の光量の過不足に応じて開口面積が変えられており、各光変調素子の透過光量を同じにする開口窓とを備えることを特徴とする。
【００１２】
前記光変調素子の配列方向に直交する副走査方向にのみ前記開口窓の長さを変更して、前記開口面積を変えることが好ましい。また、前記開口窓の長さを短くして前記記録光の光量過剰を補正することが好ましい。また、前記開口窓の長さを長くして前記記録光の光量不足を補正することが好ましい。
【００１３】
前記開口窓は、前記光変調素子以外の領域からの光漏れを防ぐための遮光部材に形成されていることが好ましい。また、前記光変調素子及び前記開口窓を通過した前記記録光の光量を予め測定した測定結果に基づき、前記記録光の光量を均一化するように前記画像データを補正するシェーディング補正手段を備えることが好ましい。
【００１４】
前記光源は、２色以上の記録光を照射することが好ましい。また、前記シェーディング補正手段は、前記光変調素子及び前記開口窓を通過した前記記録光の光量を色別に予め測定した色別の測定結果に基づき、各色の前記記録光の光量を均一化するように前記画像データの各色データを補正することが好ましい。
【００１５】
前記光源は、前記光変調素子アレイの各光変調素子アレイに対応して設けられる直方体状の導光体と、前記光変調素子の配列方向の一端部に配置され、前記導光体の一端面から前記記録光を入射させる光源本体とを有することが好ましい。また、前記光変調素子は、前記画像データに基づき、光を遮光する遮光状態、及び光を透過する透過状態に切替可能な液晶シャッタ素子であり、前記光変調素子アレイは、前記液晶シャッタ素子を複数配列した液晶シャッタアレイであることが好ましい。
【００１６】
また、本発明のプリンタは、請求項１ないし１０いずれか１項記載の露光装置と、前記露光装置または前記露光対象物を前記光変調素子の配列方向に対して直交する副走査方向に相対移動させる移動手段とを備え、前記画像データに基づき、前記露光装置または前記露光対象物の相対移動に同期させて、前記露光装置により前記露光対象物を露光して画像を記録することを特徴とする。
【発明の効果】
【００１７】
本発明の露光装置は、光源からの記録光を画像データに基づき変調する光変調素子が複数配列された光変調素子アレイと、複数の前記光変調素子に対応して設けられ、前記光変調素子で変調された前記記録光の光量の過不足に応じて開口面積が変えられた開口窓とを備えるようにしたので、各光変調素子の透過光量を同じにすることができる。これにより、光変調素子アレイに入射する前記記録光の光量分布が一様にならない場合でも全ての前記光変調素子の透過光量をほぼ均一化することができる。従って、全ての前記光変調素子の透過光量をシェーディング補正した際に、全ての前記光変調素子の透過光量が従来のように著しく低い光量に合せて補正されることがなくなる。このため、露光エネルギーのロスを大幅に低下させることができる。その結果、全ての前記光変調素子の透過光量をシェーディング補正することができるので、露光された画像に濃度ムラが発生することが防止される。
【００１８】
また、前記開口窓の開口面積を変える際に、前記光変調素子列の配列方向に対して直交する副走査方向のみ前記開口窓の長さを変更するようにしたので、互いに隣り合う前記開口窓の間の距離が短くなって製造が困難になったり、隣り合う前記開口窓同士が重なったりするおそれがなくなる。逆に、互いに隣り合う前記開口窓の間の距離が長くなって走査線の視認性が上がってしまうことが防止される。
【００１９】
また、前記開口窓の長さを短くして前記記録光の光量過剰を補正するとともに、前記開口窓の長さを長くして前記記録光の光量不足を補正するようにしたので、同様に全ての前記光変調素子の透過光量を同じにすることができる。
【００２０】
また、前記光変調素子及び前記開口窓を通過した前記記録光の光量を予め測定した測定結果に基づき、前記記録光の光量を均一化するように前記画像データを補正するシェーディング補正手段を備えるようにしたので、同様に露光された画像に濃度ムラが発生することが防止される。
【００２１】
本発明のプリンタは、請求項１ないし１０いずれか１項記載の露光装置を備えているので、前記光変調素子アレイに入射する前記記録光の光量分布が一様にならない場合でも同様に濃度ムラの無いプリント画像が得られる。
【発明を実施するための最良の形態】
【００２２】
図１は、本発明を実施したプリンタ１０の上面側から見た斜視図である。プリンタ１０は、小型、軽量、且つ薄型のモバイルプリンタであり、カメラ付き携帯電話機１１（図２参照）で撮影された画像をプリントする。このプリンタ１０は、記録媒体として自己現像処理型のインスタントフイルム（以下、単にフイルムという）１３（図２参照）を使用する。
【００２３】
フイルム１３（図２参照）は、本発明の露光対象物に相当するものであり、所謂モノシートタイプのフイルムである。このフイルム１３の先端部には、現像液（図示せず）を内包する現像液ポッド１３ａ（図５参照）が設けられている。詳しくは後述するが、プリント時はフイルム１３の感光層に対してプリント光が照射され、感光層が感光される。そして、現像時には現像液ポッド１３ａが裂開され、現像液がフイルム１３内の感光層上に流し込まれて展開されることで、フイルム１３が現像処理される。
【００２４】
プリンタ１０は、大別して筐体１５と、この筐体１５内に組み込まれたプリント部１６（図５参照）とから構成される。この筐体１５の上面には、電源スイッチ（ＳＷ）１８と、プリントＳＷ１９と、カウンタ２０と、送受信部２１と、電源用ＬＥＤ２２と、通信エラー用ＬＥＤ２３と、電池寿命警告用ＬＥＤ２４とが設けられている。電源ＳＷ１８は、プリンタ１０の電源をＯＮ／ＯＦＦする際に押圧操作される。プリントＳＷ１９は、直近にプリントした画像を再度プリントする場合に押圧操作される。カウンタ２０は機械式のカウンタであり、未使用のフイルム１３の枚数、つまり、プリント可能な枚数を表示する。
【００２５】
図２に示すように、送受信部２１はカメラ付き携帯電話機１１より赤外線通信で送信されてくる画像データを受信する。なお、画像データを送信する場合には、携帯電話機１１の赤外線通信部（図示せず）を送受信部２１に向けた状態で画像データの送信を開始する。そして、送受信部２１は画像データを受信したら、データを受信した旨を携帯電話機１１側に知らせるための信号を送信する。
【００２６】
図１に示すように、電源用ＬＥＤ２２は、プリンタ１０の電源がＯＮされているときに点灯する。この電源用ＬＥＤ２２は、赤外線通信時には点滅する。通信エラー用ＬＥＤ２３は、赤外線通信においてエラーが発生したときに点灯する。電池寿命警告用ＬＥＤ２４は、プリンタ１０の電源である電池２６（図１１参照）の寿命が少なくなったときに点灯する。
【００２７】
筐体１５の側面には、フイルム排出口２８（図３参照）と、蓋開放ノブ２９と、ストラップ取付部３０が設けられている。フイルム排出口２８から露光・現像処理済みのフイルム１３が排出される。蓋開放ノブ２９は、後述するパック装填蓋３３を開放する際にスライド操作される。ストラップ取付部３０は、筐体１５のコーナ部に形成されており、図示しないストラップが取り付けられる。
【００２８】
図３に示すように、筐体１５に底面には、パック装填蓋３３と電池装填蓋３４とが取り付けられている。パック装填蓋３３は、筐体１５内に設けられたフイルムパック装填室３６を開放する開き位置と、このフイルムパック装填室３６を覆う閉じ位置との間で回動自在に支持されている。このパック装填蓋３３には、後述するフイルムパック３８がフイルムパック装填室３６内に装填されているか否かを確認するための確認窓３３ａが設けられている。電池装填蓋３４は、同様に筐体１５内の電池室（図示せず）を開放する開き位置と、電池室を覆う閉じ位置との間で回動自在に支持されている。
【００２９】
蓋開放ノブ２９をスライド操作することで、図４に示すようにフイルムパック装填蓋３３を開きに回動させて、フイルムパック装填室３６を露呈させることができる。このフイルムパック装填室３６には、フイルムパック３８がセットされる。フイルムパック３８は、箱形状のケース３８ａと、このケース３８ａの開口部を覆う蓋３８ｂとから構成される（図５参照）。ケース３８ａには、例えば１０枚のフイルム１３が露光面を下向きにして重ねて収納される。また、ケース３８ａのフイルム排出口２８に対向する側面には、最下層のフイルム１３をパック３８外に送出するためのフイルム送出口４０（図５参照）が形成されている。
【００３０】
蓋３８ｂ（図５参照）には、図示は省略するが一対の開口が所定の間隔を開けて形成されている。これら一対の開口は、パック装填蓋３３を閉じたときにその内面に設けられた押し上げ部材４１ａ，４１ｂが入り込む入口となる。フイルム１３は、装填蓋２０を閉じたときに押し上げ部材４１ａ，４１ｂにより押圧され、最下層のフイルム１３がケース３８ａの底面に押し付けられる。
【００３１】
フイルムパック装填室３６内には、クロー爪４３が設けられている。このクロー爪４３は、ケース３８ａの底面のクロー開口（図示せず）に挿入され、フイルムパック３８内の最下層のフイルム１３をフイルム送出口４０よりパック３８外にかき出す。パック３８外に送出されたフイルム１３は、フイルム送出口４０とフイルム排出口２８との間に設けられたプリント部１６で露光・現像される（図５参照）。
【００３２】
図５は、プリント部１６の概略図である。プリント部１６は、フイルム送出口４０からフイルム排出口２８に向けて順に配置された露光ヘッド４５と、搬送ローラ対４６と、展開ローラ対４７と、排出ガイド４８と、制御板４９，５０とから構成される。露光ヘッド４５は、詳しくは後述するが、プリントする画像の１ライン分の画像データに基づき、フイルム１３の搬送に同期して、主走査方向（フイルム幅方向）に平行なライン状の記録光をフイルム１３の露光面に照射する。
【００３３】
搬送ローラ対４６は、フイルムパック３８のフイルム送出口４０に対向する位置、より具体的には、フイルム送出口４０より送出されたフイルム１３の先端部を挟持可能な位置に配置されている。搬送ローラ対４６は、互いに対向して配置されたキャプスタンローラ（駆動ローラ）５１とピンチローラ（従動ローラ）５２とからなる。キャプスタンローラ５１は、フイルム１３の両側縁部に接触する一対の円盤状ローラ本体と、両ローラ本体を保持する回転軸とからなる。ピンチローラ５２は、バネ及びローラ保持部材等からなるバネ付勢機構５３によりキャプスタンローラ５１に向けて付勢されている。
【００３４】
搬送ローラ対４６は、フイルム１３の両側縁部を挟持して、これを主走査方向と直交する副走査方向に搬送する。この際にはフイルム１３の両側縁部のみが挟持されるので、フイルム１３の現像液ポッド１３ａを裂開せずに搬送を行うことができる。そして、この搬送ローラ対４６による搬送中に露光ヘッド４５による露光が行われる。
【００３５】
フイルム１３の先端部の通過を検出する検出センサ（図示せず）、及びキャプスタンローラ５１の回転数を検出する回転数検出センサ（図示せず）からの出力信号に基づき、フイルム１３の露光面が露光ヘッド４５に対向する位置まで搬送されたら、露光ヘッド４５による露光が開始される。フイルム１３を１ラインずつ移動させつつ、露光ヘッド４５によりライン画像をフイルム１３に順次露光させることで、フイルム１３の感光層に１画面分の画像（潜像）が露光される。フイルム１３は、引き続き搬送ローラ対４６により展開ローラ対４７に向けて搬送される。
【００３６】
展開ローラ対４７は、フイルムユニット搬送路を挟み込むように配置された一対の固定ローラ５５と展開ローラ５６とから構成される。展開ローラ５６は、上述のバネ付勢機構５３と同様のバネ付勢機構５７により固定ローラ５５に向けて付勢されている。展開ローラ対４７は、搬送ローラ対４６より送り出されるフイルム１３を加圧しながら挟持搬送する。これにより、フイルム１３の現像液ポッド１３ａが裂開され、フイルム１３内の感光層上に現像液が展開される。
【００３７】
制御板４９，５０は、搬送ローラ対４６と展開ローラ対４７との間に配置されている。制御板４９，５０は、搬送ローラ対４６より送出されるフイルム１３の先端部を展開ローラ対４７に向けて案内しつつ、展開ローラ対４７による現像液展開時にフイルム１３の露光面とは反対側の背面（画像形成面）に摺接して、現像液ポッド１３ａからフイルム１３内に流し込まれた現像液の展開を制御する。これにより、現像液がより均一に展開される。そして、展開ローラ対４７から送り出されるフイルム１３は、排出ガイド４８に沿ってフイルム排出口２８に搬送され、筐体１５外に排出される。
【００３８】
図６は、本発明の露光装置に相当する露光ヘッド４５の構成を示す模式図であり、図７は、露光ヘッド４５の分解斜視図である。ここで、図６はフイルム搬送方向上流側から見た図であり、図７はフイルム搬送方向下流側から見た図である。露光ヘッド４５は、大別して、本発明の光源を構成する光源本体６０及び導光板６１と、液晶シャッタアレイ６２と、セルフォックレンズ（登録商標）［以下、単にレンズという］６３と、これらを収納するホルダ（図示せず）とから構成される。
【００３９】
光源本体６０は、Ｒ（赤）、Ｇ（緑）、Ｂ（青）の各色に発光する３色のＬＥＤ６０Ｒ，６０Ｇ，６０Ｂから構成される。ＬＥＤ６０Ｒ，６０Ｇ，６０Ｂは、ライン画像を露光する際に１個ずつ順に発光される。この光源本体６０は、後述する導光板６１に取り付けられており、各ＬＥＤ６０Ｒ，６０Ｇ，６０Ｂから照射される記録光（照明光）は導光板６１に入射する。
【００４０】
導光板６１は、本発明の導光部材に相当するものであり、光源本体６０より照射される記録光の進路を変えて記録光を後述する液晶シャッタアレイ６２に向けて出射する。この導光板６１は、後述する液晶シャッタアレイ６２の各シャッタ素子７５（１〜４８０）に対応して設けられており、主走査方向に延びた略直方体状に形成されている。上述したように、光源本体６０は、導光板６１の一端部、つまり、シャッタ素子７５（１〜４８０）の配列方向の一端部に配置されている。なお、図中の符号６１ａは、光源本体６０より照射される記録光が入射する光入射面６１ａであり、符号６１ｂは、記録光が出射される光出射面６１ｂである。
【００４１】
光入射面６１ａより導光板６１内に入射された記録光は、媒質境界の全反射を利用して導光板６１内を伝播する。導光板６１の光入射面６１ａとは反対側の側面（以下、光反射面６１ｃという）には、反射板６５が取り付けられている。この反射板６５は、光反射面６１ｃより出射する記録光を反射して再度導光板６１内に戻す。また、液晶シャッタアレイ６２に到達しない記録光は、導光板６１の上下に配置された第１及び第２拡散シート６７，６８により再度散乱される。なお、液晶シャッタアレイ６２側に配置される第２拡散シート６８には、液晶シャッタアレイ６２に向けて出射される記録光を散乱しないように、スリット状の開口６８ａが形成されている。
【００４２】
また、導光板６１の上面には、白色塗料による拡散部７０（図７参照、図６では図示を省略）が設けられている。この拡散部７０は、光入射面６１ａから光反射面６１ｃに向かうに従い次第に幅広となる略二等辺三角形状に形成されている。拡散部７０を設けることで、光入射面６１ａより入射した記録光を主走査方向に平行な線状光線に変換して光出射面６１ｂより出射することができる。この線状光線の出射光量は、光入射面６１ａから遠ざかるに従いに次第に小さくなるが、拡散部７０の形状を調整することで線状光線の出射光量をある程度は均一化することができる。この導光板６１より出射される線状光線は、後述する液晶シャッタアレイ６２により光量が調整された後、本発明の結合光学系に相当するレンズ６３を介してフイルム１３の露光面に結像される。
【００４３】
液晶シャッタアレイ６２は、液晶パネル７３と、この液晶パネル７３を保持するパネル保持基板７４とから構成される。液晶パネル７３は、液晶シャッタ素子７５（以下、単にシャッタ素子という）７５（１〜４８０）が主走査方向にライン状に４８０個配列されたシャッタ素子列７６を有している。本実施形態では、光源本体６０から反射板６５に向かう方向に沿ってシャッタ素子７５（１）、シャッタ素子７５（２）、・・・シャッタ素子７５（４８０）の順で配列されている。また、詳しくは後述するが、液晶パネル７３のシャッタ素子列７６（シャッタ素子７５）以外の領域は、Ｃｒ（クロム）やＡｕ（金）等からなるマスク７８（図８参照）で遮光されている。なお、図７中では図面の煩雑化を防止するため、シャッタ素子７５の数は適宜省略している。また、シャッタ素子の数は、特に４８０個に限定されるものではない。
【００４４】
図８は、図７中の液晶パネル７３のＶＩＩＩ−ＶＩＩＩ線に沿う断面図を示したものである。この液晶パネル７３は、第１及び第２透明基板８０，８１と、共通電極８２と、シャッタ素子電極（以下、単に素子電極という）８３と、第１及び第２偏光板８４，８５と、第１及び第２絶縁膜８６，８７と、第１及び第２配向膜８８，８９と、シール材９０と、球状スペーサ１００と、ネマティック液晶１０１とから構成される。
【００４５】
第１透明基板８０は、導光板６１に対向する側の基板であり、第２透明基板８１は、レンズ６３に対向する側の基板である。第１透明基板８０の内面には、略長方形状の共通電極８２が形成されており、第２透明基板８１の内面には、主走査方向にライン状に４８０個の素子電極８３が形成されている。また。第１透明基板８０の外面には、第１偏光板８４が貼り付けられ、第２透明基板８１の外面には、第２偏光板８５が貼り付けられている。
【００４６】
共通電極８２及び素子電極８３は、ＩＴＯ（Ｉｎｄｉｕｍ  Ｔｉｎ  Ｏｘｉｄｅ）からなる薄膜状の透明電極であり、それぞれ真空蒸着法やスパッタリング法などを用いて形成される。共通電極８２は、ライン状に配列された素子電極８３に対向する位置に形成されている。これにより、両電極８２，８３の間でのみ後述するネマティック液晶１０１に駆動電圧を印加することができる。つまり、この素子電極８３が設けられている位置が上述のシャッタ素子７５（１〜４８０）となる。
【００４７】
また、共通電極４８上に真空蒸着法などで上述のマスク７８が形成されている。このマスク７８は、本発明の遮光部材に相当するものであり、上述したように、各シャッタ素子７５（１〜４８０）以外の領域からの光の漏れを防止している。マスク７８には、各素子電極８３と対向する位置に４８０個の開口窓１０３（１〜４８０）が形成されている。各開口窓１０３（１〜４８０）により、各シャッタ素子７５（１〜４８０）の開口領域が決定される。
【００４８】
第１偏光板８４の偏光軸と、第２偏光板８５の偏光軸とは互いに直交した直交ニコル状態になっている。共通電極８２及びマスク７８上には、これらを覆うようにＳｉＯ２  等からなる第１絶縁膜８６が形成されている。さらに、この絶縁膜８６上には第１配向膜８８が形成されている。また、素子電極８３上には、同様に第２絶縁膜８７と第２配向膜８９とが順に形成されている。第１及び第２配向膜８８，８９は、ポリイミドなどから形成されている。これら両配向膜８８，８９には、その表面にラビング法や真空蒸着法等による配向処理が施されている。
【００４９】
両透明基板８０，８１は、熱硬化性エポキシ樹脂等からなるシール材９０によって開口窓１０３（１〜４８０）と各素子電極８３とが一致するように貼り合わされる。そして、これら両透明基板８０，８１、及びシール材９０により形成される空間にネマティック液晶１０１が既知の充填方法で充填され、封入される。この際に、第１透明基板８０と第２透明基板８１とのギャップ、つまり、ネマティック液晶１０１の層厚は、両透明基板８０，８１の間に配置された複数の球状スペーサ１００によって調整される。
【００５０】
ネマティック液晶１０１の液晶分子は、両電極８２，８３間に駆動電圧が印加されていない時（駆動電圧ＯＦＦ時）には、周知のように両配向膜８８，８９によって所定のねじれ角度（ツイスト角度）でツイスト配向される。このため、液晶パネル７３に入射した光（線状光線）は、このパネル７３を透過する。
【００５１】
両電極８２，８３間に駆動電圧が印加された時（駆動電圧ＯＮ時）は、素子電極８３上にある液晶分子が電圧印加方向に配向（垂直配向）される。第１偏光板８４と第２偏光板８５とは直交ニコル状態になっているので、周知のように液晶パネル７３に入射した光（線状光線）は、第２偏光板８５で遮光される。
【００５２】
このように、共通電極８２と素子電極８３との間に印加される駆動電圧のＯＮ・ＯＦＦを制御することで、液晶パネル７３に入射する光の透過・遮断を制御することができる。つまり、液晶シャッタアレイ６２のシャッタ素子７５（１〜４８０）を個々に遮光状態と光透過状態とに切り替えることができる。
【００５３】
各シャッタ素子７５（１〜４８０）を個々に切替制御することで、各シャッタ素子７５（１〜４８０）の開口時間（シャッタ速度）を調整することができる。つまり、シャッタ素子７５（１〜４８０）毎の変調光の透過光量を調整することができる。これにより、光源本体６０からＲ光、Ｇ光、Ｂ光が順次照射される度に、１ライン分の画像データに基づきシャッタ素子７５（１〜４８０）を個々に切替制御することで、画像データに応じた階調を有するライン画像がフイルム１３に露光される。上述したように、シャッタ素子７５（１〜４８０）は４８０個設けられており、４８０ドットのライン画像が露光される。そして、このライン画像を副走査方向に６４０ライン分露光することで、６４０×４８０の画像（潜像）がフイルム１３に露光される。
【００５４】
液晶シャッタアレイ６２を用いて露光を行う際には、光源本体６０より導光板６１を介して出射される線状光線の出射光量を均一化できないという問題がある。上述したように、本実施形態では導光板６１上に拡散部７０を設けることで線状光線の出射光量の均一化を行っているが、導光板６１のサイズには寸法的に制限がある。このため、拡散部７０の形状を調整するだけでは線状光線の出射光量の均一化を十分に行うことができない。
【００５５】
線状光線の出射光量の均一化を十分に行えないと、シャッタ素子列７６の光源本体６０側の一端部７６ａにあるシャッタ素子７５（１〜６）への線状光線の出射光量が過剰になってしまう。また、逆にこの一端部７６ａと反対側の他端部７６ｂにあるシャッタ素子７５（４７５〜４８０）への線状光線の出射光量が不足してしまう（図１０参照）。その結果、従来のプリンタでは一端部７６ａにあるシャッタ素子７５（１〜６）を透過する記録光（線状光線）の光量（透過光量）が過剰となり、他端部７６ｂにあるシャッタ素子７５（４７５〜４８０）の透過光量が不足していた。なお、本実施形態では、シャッタ素子７５（１〜６）への線状光線の出射光量が過剰となり、シャッタ素子７５（４７５〜４８０）への線状光線の出射光量が不足すると定義しているが、本発明はこれに限定されるものではない。
【００５６】
また、各シャッタ素子７５（１〜４８０）の透過率及び応答速度も同じではない。特にシャッタ素子列７６の両端部７６ａ，７６ｂのシャッタ素子７５（１〜６，４７５〜４８０）は、シール材９０に含まれる不純物や未硬化樹脂等が原因で、透過率及び応答速度が他と異なっている場合が多い。このため、線状光線の出射光量の均一化を十分に行うことができない。
【００５７】
このように、線状光線の出射光量の均一化を十分に行えない場合に、従来のプリンタでは、プリント画像の濃度ムラを防止するために後述するシェーディング補正を行って各シャッタ素子７５（１〜４８０）の透過光量を均一化していた。この場合には、全シャッタ素子７５（１〜４８０）の透過光量が、シャッタ素子７５（４７５〜４８０）の透過光量に合わせてシェーディング補正されてしまうので、露光エネルギーのロスが増えてしまう。また、上述したように両端部７６ａ，７６ｂのシャッタ素子７５（１〜６，４７５〜４８０）を除いてシェーディング補正を行うと、プリント画像両端に濃度ムラが発生してしまう。
【００５８】
そこで、シャッタ素子７５（１〜６，４７５〜４８０）の透過光量の過不足を光量補正した後に、全シャッタ素子７５（１〜４８０）の透過光量をシェーディング補正することで、露光エネルギーのロスを可能な限り減らしつつ、プリント画像の濃度ムラを防止する。シャッタ素子７５（１〜６，４７５〜４８０）の透過光量の過不足を光量補正するため、本実施形態ではシャッタ素子７５（１〜６，４７５〜４８０）に対応する開口窓１０３（１〜６，４７５〜４８０）の開口面積を変える。以下、図９を用いて具体的に説明を行う。
【００５９】
図９は、液晶シャッタアレイ６２の液晶パネル７３を上面から見た上面図である。光量過剰な線状光線が入射するシャッタ素子７５（１〜６）に対応する開口窓１０３（１〜６）の開口面積を、中央部のシャッタ素子７５（７〜４７４）に対応する開口窓１０３（７〜４７４）の開口面積よりも小さくする。これにより、シャッタ素子７５（１〜６）の透過光量が光量未補正時よりも減少する。
【００６０】
この際に、導光板６１より出射される線状光線の出射光量は、光入射面６１ａに近いほど大きくなる。従って、シャッタ素子７５（１〜６）の中でシャッタ素子７５（１）への線状光線の出射光量が最も大きくなるので、光量未補正時にはシャッタ素子７５（１）の透過光量が最も過剰になる。そこで、本実施形態では、光量未補正時の透過光量の過剰分に比例して開口窓１０３（１〜６）の開口面積を減らすことにより、シャッタ素子７５（１〜６）の透過光量を減少させる。具体的には、開口窓１０３（１〜６）の開口面積を光源本体６０に近づくに従い次第に減少させる。つまり、開口窓１０３（１〜６）の中で開口窓１０３（１）の開口面積を最も小さくさせ、開口窓１０３（６）の開口面積を最も大きくさせる。
【００６１】
また、逆に光量不足な線状光線が入射するシャッタ素子７５（４７５〜４８０）に対応する開口窓１０３（４７５〜４８０）の開口面積を、中央部のシャッタ素子７５（７〜４７４）に対応する開口窓１０３（７〜４７４）の開口面積よりも大きくする。これにより、シャッタ素子７５（４７５〜４８０）の透過光量が光量未補正時よりも増加する。
【００６２】
この際も、線状光線の出射光量が光入射面６１ａから遠ざかるほど小さくなるので、光量未補正時にはシャッタ素子７５（４８０）の透過光量が最も不足する。そこで、光量未補正時の透過光量の不足分に比例して開口窓１０３（４７５〜４８０）の開口面積を増加させる。具体的には、開口窓１０３（４７５〜４８０）の開口面積を光源本体６０から遠ざかるに従い次第に増加させる。つまり、開口窓１０３（４７５〜４８０）の中で開口窓１０３（４７５）の開口面積を最も小さくさせ、開口窓１０３（４８０）の開口面積を最も大きくさせる。
【００６３】
開口窓１０３（１〜６，４７５〜４８０）の開口面積は、シャッタ素子７５（１〜６，４７５〜４８０）の透過光量がシャッタ素子７５（７〜４７４）の透過光量とほぼ等しくなるように調整する。光量未補正時の透過光量の過不足分に比例して開口窓１０３（１〜６，４７５〜４８０）の開口面積を変えることで、シャッタ素子７５（１〜６，４７５〜４８０）の透過光量の過不足を個々に光量補正することができる。
【００６４】
このように開口窓１０３（１〜６，４７５〜４８０）の開口面積を変える場合に、開口窓１０３（１〜６，４７５〜４８０）の長さを主走査方向に変えることは困難である。シャッタ素子７５（１〜４８０）は、その主走査方向の長さが約７０μｍであり、主走査方向に約１００μｍのピッチで配列されている。このため、開口窓１０３（１〜６）の長さを主走査方向に短くすると、隣接する開口窓との間隔が長くなるため走査線の視認性が上がってしまう。また、開口窓１０３（４７５〜４８０）の長さを主走査方向に長くすると、隣接する開口窓との間隔が短くなるためマスク７８の製造が困難になってしまう。さらに、隣接する開口窓と重なってしまうという問題も生じる。
【００６５】
そこで、本実施形態では、開口窓１０３（１〜６，４７５〜４８０）の長さを副走査方向にのみ変更する。具体的には、開口窓１０３（１〜６）の長さを副走査方向に短くすることで、開口窓１０３（１〜６）の開口面積を小さくする。また、開口窓１０３（４７５〜４８０）の長さを副走査方向に長くすることで、開口窓１０３（４７５〜４８０）の開口面積を大きくする。例えば本実施形態では、開口窓１０３（７〜４７４）の副走査方向の長さＬ（７〜４７４）が約１７０μｍであるとする。このときに、光量補正前のシャッタ素子７５（１）の透過光量がシャッタ素子７５（７〜４７４）の透過光量の２倍になる場合には、最も開口面積が小さくなる開口窓１０３（１）の長さＬ（１）は約８５μｍである。また、光量補正前のシャッタ素子７５（４８０）の透過光量がシャッタ素子７５（７〜４７４）の透過光量の１／２倍になる場合には、最も開口面積が大きくなる開口窓１０３（４８０）の長さＬ（４８０）は約３４０μｍである。なお、開口窓１０３（４８０）の長さＬ（４８０）は、上述の第２拡散シート６８のスリット６８ａ（図７参照）の幅よりも短く形成されている。
【００６６】
上述のように、開口窓１０３（１〜６，４７５〜４８０）の長さを副走査方向に変えると、フイルム１３に露光されるプリント画像の両端部と中央部の解像力が異なってしまう。しかし、解像力の違いが生じるのはプリント画像の両端部の数画素程度であり、透過光量の無補正による濃度の不自然さと比べ、解像力変化による不自然さはそれほど目立たない。
【００６７】
図１０に示すように、本実施形態ではマスク７８の開口窓１０３（１〜６，４７５〜４８０）の開口面積を変えることで、シャッタ素子列７６の両端部７６ａ，７６ｂのシャッタ素子７５（１〜６，４７５〜４８０）の透過光量の過不足を光量補正することができる。なお、図中には、比較例として光量補正を行わなかった場合のシャッタ素子７５（１〜６，４７５〜４８０）の透過光量を点線で表示した。
【００６８】
両端部７６ａ，７６ｂのシャッタ素子７５（１〜６，４７５〜４８０）の光量補正を行うことで、シャッタ素子７５（１〜４８０）の透過光量が従来のように著しく低い光量に合わせてシェーディング補正されるおそれはなくなる。その結果、両端部７６ａ，７６ｂのシャッタ素子７５（１〜６，４７５〜４８０）を除いてシェーディング補正を行う必要も無くなるので、全てのシャッタ素子７５（１〜４８０）の透過光量をシェーディング補正することができる。以下、図１１を用いてシェーディング補正について説明を行う。
【００６９】
図１１は、プリンタ１０の内部の制御系統を示すブロック図である。プリンタ１０には、上述の露光ヘッド４５の他に、サブ基板部１１０、メイン基板部１１２、送受信部２１（図１参照）に設けられたＩｒＤＡ送受信部１２２、モータ１２４等が設けられている。サブ基板部１１０には、上述の電源ＳＷ１８、プリントＳＷ１９、及び表示用ＬＥＤ部１２８等が設けられている。この表示用ＬＥＤ１２８部には、電源用ＬＥＤ２２、通信エラー用ＬＥＤ２３、電池寿命警告用ＬＥＤ２４、及びカウンタ２０の裏側に設けられたカウンタバックライト用ＬＥＤ（図示せず）等が含まれる。
【００７０】
メイン基板部１１２には、露光ヘッド４５との間を接続するフレキシブルケーブル１３０，１３１と、ＭＰＵ（Ｍｉｃｒｏ  Ｐｒｏｃｅｓｓｏｒ  Ｕｎｉｔ）１３２と、発振子１３４と、リセット回路１３６と、ＳＤＲＡＭ１３８とが備えられている。そして、このメイン基板部１１２には、電池室（図示せず）内に収納された電池２６から電源電圧が印加される。
【００７１】
ＭＰＵ１３２は、プリンタ１０の動作を統括的に制御する。発振子１３４は、所定の周波数信号を生成してＭＰＵ１３２に動作用のクロック信号として供給する。リセット回路１３６は、ＭＰＵ１３２の初期化を行うためのリセット信号を出力する。ＳＤＲＡＭ１３８は、揮発性のメモリであり、カメラ付き携帯電話機１１（図２参照）より送られた画像データが記憶される。
【００７２】
また、メイン基板部１１２には、電源部１４０，１４１と、ＤＣ／ＤＣコンバータ１４２と、電源制御部１４４と、ＢＣ部１４６と、ＴＰＧ部１４８と、発振子１５０と、ＩｒＤＡ／ＬＣＳ制御部１５２と、ＬＥＤ制御部１５４と、モータ制御部１５６と、シェーディング補正部１５８とが備えられている。
【００７３】
電源部１４０は、入力された電池電圧を２．５Ｖの電圧に変換して出力する。電源部１４１は、入力された電池電圧を３．３Ｖの電圧に変換して出力する。ＤＣ／ＤＣコンバータ１４２は、入力された電池電圧を１５Ｖの電圧に変換して出力する。電源制御部１４４は、ＭＰＵ１３２からの指示を受けて、これら電源部１４０，１４１及びＤＣ／ＤＣコンバータ１４２を制御する。ここで、２．５Ｖの電圧はＭＰＵ１３２に供給されるとともに、３．３Ｖの電圧はＭＰＵ１３２以外の周辺回路に供給される。ＤＣ／ＤＣコンバータ１４２より出力される１５Ｖの電圧は露光ヘッド４５及びＴＰＧ部１４８に供給される。
【００７４】
ＢＣ部１４６は、電池２６の出力電圧が所定の値よりも低下したか否かをチェックする。ＭＰＵ１３２は、このチェック結果を参照して電池２６の出力電圧が所定の値よりも低下していると判定した場合には、ユーザに電池交換を促すために電池寿命警告用ＬＥＤ２４を点灯させる。ＴＰＧ部１４８は、ＤＣ／ＤＣコンバータ１４２から出力される１５Ｖの電圧をオン・オフする。発振子１５０は、所定の周波数の発振信号を生成してＩｒＤＡ／ＬＣＳ制御部１５２に供給する。
【００７５】
ＩｒＤＡ／ＬＣＳ制御部１５２は、発振子１５０からの発振信号に基づいてＩｒＤＡ送受信部１２２及び露光ヘッド４５を制御する。このＩｒＤＡ送受信部１２２には、図示は省略するが赤外線通信を行うための受光素子及び投光素子が備えられている。ＩｒＤＡ／ＬＣＳ制御部１５２は、受光素子で光電変換されたデータをＭＰＵ１３２に送信するとともに、ＭＰＵ１３２がデータを受信した旨を携帯電話機１１に知らせるためのデータを投光素子経由で送信する。
【００７６】
また、ＩｒＤＡ／ＬＣＳ制御部１５２は、ＭＰＵ１３２の指示に基づき、フレキシブルケーブル１３０を介して、露光ヘッド４５に画像データに応じた制御信号を送信する。この制御信号は、露光ヘッド４５の液晶シャッタアレイ６２内のシャッタ素子７５（１〜４８０）の個々の駆動、つまり、個々の開口時間（シャッタ速度）を制御する。
【００７７】
ＬＥＤ制御部１５４は、ＭＰＵ１３２の指示に基づき、フレキシブルケーブル１３１を介して、光源本体６０の各ＬＥＤ６０Ｒ，６０Ｇ，６０Ｂの点灯・消灯を制御する。モータ制御部１５６は、モータ１２４の駆動を制御する。このモータ１２４には、図示しないローラ駆動伝達機構を介して、搬送ローラ対４６（キャプスタンローラ５１）及び展開ローラ対４７（固定ローラ５５）が連結されているとともに、図示しない爪移動機構を介してクロー爪４３（図４参照）が連結されている。従って、モータ１２４が回転すると、搬送ローラ対４６、展開ローラ対４７、及びクロー爪４３が同時に駆動される。
【００７８】
シェーディング補正部１５８は、本発明のシェーディング補正手段に相当するものであり、シャッタ素子７５（１〜４８０）及び開口窓１０３（１〜４８０）を透過する記録光（線状光線）の透過光量（図１０参照）が均一化するように、画像データを補正する。このシェーディング補正部１５８には、Ｒ用、Ｇ用、Ｂ用ＬＵＴ（ルックアップテーブル）１６０Ｒ，１６０Ｇ，１６０Ｂが記憶されている。
【００７９】
各ＬＵＴ１６０Ｒ，１６０Ｇ，１６０Ｂは、シャッタ素子７５（１〜４８０）及び開口窓１０３（１〜４８０）の透過光量を予め記録光の色別に測定した結果に基づいて作成されている。各ＬＵＴ１６０Ｒ，１６０Ｇ，１６０Ｂは、シャッタ素子７５（１〜４８０）を透過する各色の記録光の透過光量がそれぞれ均一化されるように、画像データのＲ，Ｇ，Ｂデータの補正に用いられる色別の補正データであり、例えば補正係数や関数等からなる。
【００８０】
シェーディング補正部１５８は、ＳＤＲＡＭ１３８から画像データを読み込んで、この画像データのＲ，Ｇ，Ｂデータを対応する各ＬＵＴ１６０Ｒ，１６０Ｇ，１６０Ｂに基づき補正する。補正済みの画像データ（Ｒ，Ｇ，Ｂデータ）は、再度ＳＤＲＡＭ１３８に記憶される。ＩｒＤＡ／ＬＣＳ制御部１５２は、露光時には補正済みの画像データ（Ｒ，Ｇ，Ｂデータ）に基づき、シャッタ素子７５（１〜４８０）の開口時間（シャッタ速度）を調整する。これにより、全シャッタ素子７５（１〜４８０）の透過光量が均一化されるので、濃度ムラの無いプリント画像が得られる。
【００８１】
次に本実施形態のプリンタ１０の作用について説明を行う。ユーザは、電源ＳＷ１８（図１参照）を押圧してプリンタ１０の電源をＯＮしたら、カメラ付き携帯電話機１１を操作して画像データをプリンタ１０の送受信部２１に送信する（図２参照）。そして、画像データが、送受信部２１（ＩｒＤＡ受信部１２２）を介してＳＤＲＡＭ１３８に記憶されたら、ＭＰＵ１３２はプリント作業を開始する。
【００８２】
プリント作業が開始されると、ＭＰＵ１３２からの指示によりシェーディング補正部１５８は、ＳＤＲＡＭ１３８から画像データを読み出す。次いで、シェーディング補正部１５８は、画像データのＲ，Ｇ，Ｂデータを対応する各ＬＵＴ１６０Ｒ，１６０Ｇ，１６０Ｂに基づき補正する。そして、シェーディング補正部１５８は、補正済みの画像データ（Ｒ，Ｇ，Ｂデータ）をＳＤＲＡＭ１３８に再度記憶させる。
【００８３】
補正済みの画像データがＳＤＲＡＭ１３８に記憶されたら、ＭＰＵ１３２からの指示により、モータ制御部１５６はモータ１２４を回転させる。これにより、クロー爪４３、搬送ローラ対４６（キャプスタンローラ５１）、及び展開ローラ対４７（固定ローラ５５）が同時に駆動される。まず、クロー爪４３（図４参照）によって、フイルムパック３８内の最下層のフイルム１３がフイルム送出口４０よりパック３８外に送出される。次いで、フイルム１３は、その両側縁部が搬送ローラ対４６により挟持されて、副走査方向に搬送される（図５参照）。
【００８４】
搬送ローラ対４６による搬送中に、フイルム１３の露光面が露光ヘッド４５に対向する位置まで搬送されたら、ＭＰＵ１３２からの指示により、露光ヘッド４５による露光が開始される。ＬＥＤ制御部１５４は、光源本体６０のＬＥＤ６０Ｒ，６０Ｇ，６０Ｂを１個ずつ順に発光せる。ＩｒＤＡ／ＬＣＳ制御部１５２は、光源本体６０より導光板６１を介してＲ、Ｇ、Ｂの記録光（線状光線）が順次照射される度に、補正済みの１ライン分の画像データに基づき、シャッタ素子７５（１〜４８０）の個々の開口時間（シャッタ速度）を調整する。これにより、画像データに応じた階調を有するライン画像がフイルム１３に露光される。以下、同様にしてフイルム１３を１ラインずつ移動させつつ、露光ヘッド４５によりライン画像をフイルム１３に順次露光させて、ライン画像を副走査方向に６４０ライン分露光する。こうして６４０×４８０の画像（潜像）がフイルム１３に露光される。
【００８５】
この際に、本実施形態では光源本体６０より導光板６１を介して出射される線状光線の出射光量の均一化を十分に行えないため、マスク７８の開口窓１０３（１〜６，４７５〜４８０）の開口面積を変えることで、シャッタ素子列７６の両端部７６ａ，７６ｂのシャッタ素子７５（１〜６，４７５〜４８０）の透過光量の過不足を光量補正している。従って、シェーディング補正を行った際に、全てのシャッタ素子７５（１〜４８０）の透過光量が著しく低い光量に合せてシェーディング補正されることが無くなる。このため、露光エネルギーのロスを極力減らすことができる。また、全てのシャッタ素子７５（１〜４８０）の透過光量をシェーディング補正することができるので、プリント画像の両端部に濃度ムラが発生することを防止できる。これにより、良好なプリント画像が得られる。
【００８６】
フイルム１３は、引き続き搬送ローラ対４６により展開ローラ対４７に向けて搬送される。展開ローラ対４７は、搬送ローラ対４６から制御板４９，５０介して送出されてくるフイルム１３を加圧しながら挟持搬送する。これにより、フイルム１３の現像液ポッド１３ａが裂開され、フイルム１３内の感光層上に現像液が展開される。そして、展開ローラ対４７から送り出されるフイルム１３は、排出ガイド４８に沿ってフイルム排出口２８に搬送され、筐体１５外に排出される。
【００８７】
なお、上記実施形態では、マスク７８によるシャッタ素子７５（１〜６，４７５〜４８０）の透過光量の光量補正と、全てのシャッタ素子７５（１〜４８０）の透過光量のシェーディング補正とを両方行うようにしているが、本発明はこれに限定されるものではない。例えば、シャッタ素子７５（１〜６，４７５〜４８０）の透過光量の光量補正のみでプリンタ１０（露光装置）に求められる透過光量の均一性を満たす場合には、シェーディング補正を行う必要はない。
【００８８】
また、上記実施形態では、フイルム１３を副走査方向に移動させながら露光ヘッド４５による露光を行うようにしているが、本発明はこれに限定されるものではない。例えば、フイルムパック３８内に収納されたフイルム１３に対して露光ヘッド４５を副走査方向に相対移動させながら露光を行うようにしてもよい。
【００８９】
なお、上記実施形態では、導光板６１を介して光源本体６０より照射される記録光を液晶シャッタアレイ６２に導くようにしているが、本発明はこれに限定されるものではない。記録光を液晶シャッタアレイ６２に導くことが可能であれば、導光体として例えばマイクロレンズ等を用いるようにしてもよい。また、光源本体６０の配置も特には限定されず、例えば液晶シャッタアレイ６２の鉛直上方に配置してもよい。
【００９０】
なお、上記実施形態では、光源本体６０として３色のＬＥＤ６０Ｒ，６０Ｇ，６０Ｂから構成されるものを使用しているが、本発明はこれに限定されるものではなく、単色のＬＥＤからなる光源（本体）、多数のＬＥＤが例えばマトリクス状に配列されている光源（本体）、蛍光発光管を使用した光源等の各種光源（本体）を使用してもよい。
【００９１】
また、上記実施形態では、液晶シャッタアレイ６２にシャッタ素子列７６が１列しか設けられていないが、本発明はこれに限定されるものではなく、シャッタ素子列７６が複数列設けられていてもよい。つまり、シャッタ素子が例えばマトリクス状に配列されていてもよい。
【００９２】
なお、上記実施形態では、シャッタ素子列７６の両端部７６ａ，７６ｂのシャッタ素子７５（１〜６，４７５〜４８０）の透過光量を光量補正しているが、本発明はこれに限定されるものではない。シャッタ素子７５（１〜４８０）に向けて出射される線状光線の出射光量の偏りに応じて対応するシャッタ素子の透過光量を光量補正するようにしてもよい。
【００９３】
また、上記実施形態では、液晶シャッタアレイ６２を構成する液晶パネル７３にネマティック液晶１０１が封入されているが、本発明はこれに限定されるものではない。画像データに応じて液晶パネルを光透過状態または光遮光状態に切替可能であれば、ネマティック液晶の代わりに、例えば強誘電性液晶、反強誘電性液晶等の各種液晶を封入してもよい。
【００９４】
なお、上記実施形態では、光源本体６０より導光板６１を介して照射される記録光（線状光線）を画像データに基づき変調する光変調素子として液晶シャッタ素子７５（１〜４８０）を使用しているが、本発明はこれに限定されるものではない。例えば液晶シャッタ素子の代わりに、開口窓と、遮光板と、この遮光板を開口窓を塞ぐ遮光位置、及び開口窓を開放する投光位置に移動させる移動機構とからなるシャッタ素子を用いるようにしてもよい。また、ＭＥＭＳ（Ｍｉｃｒｏ  Ｅｌｅｃｔｒｏ  Ｍｅｃｈａｎｉｃａｌ  Ｓｙｓｔｅｍ）からなる光シャッタ素子や、各種光スイッチ素子を用いてもよい。
【００９５】
また、上記実施形態は、モバイル型のプリンタ１０に使用される露光ヘッド４５を例に説明を行ったが、本発明はこれに限定されるものではなく、各種のプリンタや画像記録装置、プリンタ付きデジタルカメラ（インスタントカメラ）等に使用される露光ヘッド（露光装置）にも本発明を適用することができる。
【図面の簡単な説明】
【００９６】
【図１】本発明のプリンタの上面側から見た斜視図である
【図２】カメラ付き携帯電話機から送られてくる画像データに基づいて画像をフイルムに記録して排出する様子を示すプリンタの説明図である。
【図３】プリンタの底面側から見た斜視図である。
【図４】パック装填蓋が開けられているプリンタの状態を示す斜視図である。
【図５】プリンタのプリント部の概略図である。
【図６】露光ヘッドの構成を示す模式図である。
【図７】露光ヘッドの分解斜視図である。
【図８】露光ヘッドの液晶シャッタアレイの液晶パネルの断面図である。
【図９】液晶パネルの上面図である。
【図１０】液晶シャッタアレイの各シャッタ素子の透過光量の大きさを表したグラフである。
【図１１】プリンタ１０の内部の制御系統を示すブロック図である
【符号の説明】
【００９７】
１０  プリンタ
１３  インスタントフイルム
１６  プリント部
４５  露光ヘッド
４６  搬送ローラ対
４７  展開ローラ対
６０  光源本体
６０Ｒ，６０Ｇ，６０Ｂ  ＬＥＤ
６１  導光板
６１ａ  光入射面
６１ｂ  光出射面
６２  液晶シャッタアレイ
６３  セルフォックレンズ（登録商標）
７３  液晶パネル
７５（１〜４８０）  液晶シャッタ素子
７８  マスク
７６  シャッタ素子列
１０３（１〜４８９）  開口窓
１５８  シェーディング補正部
【図１】
2007248774.tif 000003
【図２】
2007248774.tif 000004
【図３】
2007248774.tif 000005
【図４】
2007248774.tif 000006
【図５】
2007248774.tif 000007
【図６】
2007248774.tif 000008
【図７】
2007248774.tif 000009
【図８】
2007248774.tif 000010
【図９】
2007248774.tif 000011
【図１０】
2007248774.tif 000012
【図１１】
2007248774.tif 000013